【事件の表示】
　特許第３４１４８３９号「自動車用タイヤ」の請求項１ないし１０、１４、１５、１７、１８に係る特許に対する特許異議の申立てについて、次のとおり決定する。
【結　論】
　訂正を認める。
　特許第３４１４８３９号の請求項１ないし１０、１３、１４、１６、１７に係る特許を維持する。
【理　由】
Ｉ．手続きの経緯
　特許第３４１４８３９号の請求項１ないし１０、１４、１５、１７、１８に係る発明についての出願は、平成６年５月３１日（パリ優先権主張　平成５年５月３１日　イタリア）に特許出願され、平成１５年４月４日にその特許権の設定登録がなされ、その後、特許異議の申立て（申立人　株式会社ブリヂストン。以下、「申立人」という。）がなされ、取消理由通知がなされ、その指定期間内である平成１７年３月１０日に訂正請求がなされたものである。
　
ＩＩ．平成１７年３月１０日付け訂正請求書による訂正の適否について
１．訂正の内容
　平成１７年３月１０日付け訂正請求書による訂正（以下、「本件訂正」という。）の内容は、次のとおりである。　
『訂正事項（ａ）
　特許請求の範囲の請求項１の記載について、
「【請求項１】　低い走行ノイズを生ずるトレッドを設けた自動車ホイール用タイヤであって、
　該トレッドは、複数の形状ブロック（７）を形成された隆起パターンを具備し、
　該ブロックは、タイヤの円周方向に伸びる長手方向溝（２）により境界付けられた平行の円周方向列（３、４、５、６）内に分配され、かつ該各ブロックは個々の横方向カット部分（８、９、１０）により互に分離された所定個数の形状ブロック（７）を具備する前記タイヤにおいて、
　該各列（３、４、５、６）の形状ブロック（７）の個数は、所定の列の形状ブロックの個数が、トレッド（１）の赤道面（Ｘ−Ｘ）の方へ並列的関係で連続的に配置された隣接列の形状ブロックの個数よりも大きいことにより、該トレッドは、トレッ外側エッジ部（１ａ）から前記赤道面へ向かうに従い長手方向剛性が徐々に増加し、
　前記列（３、４、５、６）の各々が第１の横方向カット部分（８）を有し、該各カット部分（８）が並列的かつ隣接的に配置されたブロックに属する第１の横方向カット部分（８）の１つに対して連続的に伸びており、
　前記ブロック列（５、６）の少なくとも１つは第２の横方向カット部分（９）を有し、該各第２の横方向カット部分（９）は前記第１のカット部分（８）の２つの間の中間位置にあることを特徴とする前記タイヤ。」
とあるのを、
「【請求項１】　低い走行ノイズを生ずるトレッドを設けた自動車ホイール用タイヤであって、該トレッドは、複数の形状ブロック（７）を形成された隆起パターンを具備し、該ブロックは、タイヤの円周方向に伸びる長手方向溝（２）により境界付けられた平行の円周方向列（３、４、５、６）内に分配され、かつ該各ブロックは個々の横方向カット部分（８、９、１０）により互に分離された所定個数の形状ブロック（７）を具備する前記タイヤにおいて、
　該各列（３、４、５、６）の形状ブロック（７）の個数は、所定の列の形状ブロックの個数が、トレッド（１）の赤道面（Ｘ−Ｘ）の方へ並列的関係で連続的に配置された隣接列の形状ブロックの個数よりも大きいことにより、該トレッドは、トレッド外側エッジ部（１ａ）から前記赤道面へ向かうに従い長手方向剛性が徐々に増加し、前記列（３、４、５、６）の各々が第１の横方向カット部分（８）を有し、該各カット部分（８）が並列的かつ隣接的に配置されたブロックに属する第１の横方向カット部分（８）の１つに対して連続的に伸びており、前記ブロック列（５、６）の少なくとも１つは第２の横方向カット部分（９）を有し、該各第２の横方向カット部分（９）は前記第１のカット部分（８）の２つの間の中間位置にあり、
　前記連続的に配列された第１のカット部分（８）が連続した横方向溝（１３）を画成し、
　前記対応外側エッジ部（１ａ）から始まる前記横方向溝（１３）の各々は、前記長手方向溝（２）に略直交する１つの直線状部分と、曲線状連結部分と、前記長手方向溝（２）に対して傾斜的に配置された第２の直線状部分とを有することを特徴とするタイヤ。」
と訂正する。
　
　訂正事項（ｂ）
「【請求項１０】　請求項１に記載のタイヤにおいて、
　前記連続的に配列された第１のカット部分（８）が連続した横方向溝（１３）を画成し、該各横方向溝（１３）が、トレッド（１）の対応外側エッジ部（１ａ）から前記赤道面（Ｘ−Ｘ）に近接するに至るまで伸びていることを特徴とするタイヤ。」
とあるのを、
「【請求項１０】　請求項１に記載のタイヤにおいて、該各横方向溝（１３）が、トレッド（１）の対応外側エッジ部（１ａ）から前記赤道面（Ｘ−Ｘ）に近接するに至るまで伸びていることを特徴とするタイヤ。」
と訂正する。
　
　訂正事項（ｃ）　
「【請求項１１】　請求項１に記載のタイヤにおいて、
　前記対応外側エッジ部（１ａ）から始まる前記横方向溝（１３）の各々は、前記長手方向溝（２）に略直交する１つの直線状部分と、曲線状連結部分と、前記長手方向溝（２）に対して傾斜的に配置された第２の直線状部分とを有することを特徴とするタイヤ。」
とあるのを削除する。
　
　訂正事項（ｄ）
「【請求項１２】　請求項１０に記載のタイヤにおいて、
　前記長手方向溝（２）は前記第１の横方向カット部分（８）の幅よりも小さな幅を有することを特徴とするタイヤ。
 【請求項１３】　請求項１１に記載のタイヤにおいて、
　前記長手方向溝（２）の幅と前記第１の横方向カット部分（８）の幅との比は、０．６〜０．２の範囲内にあることを特徴とするタイヤ。
 【請求項１４】　請求項１に記載のタイヤにおいて、
　前記第２のカット部分（９）は、トレッド（１）の外側エッジ部（１ａ）に隣接した外方肩列（６）と、赤道面（Ｘ−Ｘ）へ向かって該外方肩列（６）に並列的に配置された内方肩列（５）とに関係していることを特徴とするタイヤ。
 【請求項１５】　請求項１に記載のタイヤにおいて、
　前記第２のカット部分（９）の幅寸法は前記第１のカット部分（８）の幅寸法よりも小さいことを特徴とするタイヤ。
 【請求項１６】　請求項１５に記載のタイヤにおいて、
　前記第２のカット部分（９）の幅と前記第１のカット部分（８）の幅との比が０．５〜１．０の範囲にあることを特徴とするタイヤ。
 【請求項１７】　請求項１に記載のタイヤにおいて、
　前記列（４）の少なくとも１つの形状ブロック（７）が夫々少なくとも１つの横方向スロット（９ａ）を有し、該各横方向スロット（９ａ）は前記第２のカット部分（９）の１つの伸長部分に対応して、該ブロック自体の幅より小さい幅の部分にわたって赤道面（Ｘ−Ｘ）に向かって伸長していることを特徴とするタイヤ。
 【請求項１８】　請求項１７に記載のタイヤにおいて、
　前記横方向スロット（９ａ）は外方中央列（４）と関係され、該外方中央列（４）は、トレッド（１）の赤道面（Ｘ−Ｘ）に向かって内方肩列（５）に連続的かつ並列的に配置されていることを特徴とするタイヤ。
 【請求項１９】　請求項１に記載のタイヤにおいて、
　前記ブロック列（６）の少なくとも１つは、第１及び第２の横方向カット部分（８、９）に平行に伸びる第３の横方向カット部分（１０）を更に具備することを特徴とするタイヤ。
 【請求項２０】　請求項１９に記載のタイヤにおいて、
　前記第３の横方向カット部分（１０）はトレッドの外側エッジ部（１ａ）に隣接した外方肩列（６）に関係していることを特徴とするタイヤ。」
とあるのを、
「【請求項１１】　請求項１０に記載のタイヤにおいて、前記長手方向溝（２）は前記第１の横方向カット部分（８）の幅よりも小さな幅を有することを特徴とするタイヤ。
 【請求項１２】　請求項１に記載のタイヤにおいて、前記長手方向溝（２）の幅と前記第１の横方向カット部分（８）の幅との比は、０．６〜０．２の範囲内にあることを特徴とするタイヤ。
 【請求項１３】　請求項１に記載のタイヤにおいて、前記第２のカット部分（９）は、トレッド（１）の外側エッジ部（１ａ）に隣接した外方肩列（６）と、赤道面（Ｘ−Ｘ）へ向かって該外方肩列（６）に並列的に配置された内方肩列（５）とに関係していることを特徴とするタイヤ。
 【請求項１４】　請求項１に記載のタイヤにおいて、前記第２のカット部分（９）の幅寸法は前記第１のカット部分（８）の幅寸法よりも小さいことを特徴とするタイヤ。
 【請求項１５】　請求項１４に記載のタイヤにおいて、前記第２のカット部分（９）の幅と前記第１のカット部分（８）の幅との比が０．５〜１．０の範囲にあることを特徴とするタイヤ。
 【請求項１６】　請求項１に記載のタイヤにおいて、前記列（４）の少なくとも１つの形状ブロック（７）が夫々少なくとも１つの横方向スロット（９ａ）を有し、該各横方向スロット（９ａ）は前記第２のカット部分（９）の１つの伸長部分に対応して、該ブロック自体の幅より小さい幅の部分にわたって赤道面（Ｘ−Ｘ）に向かって伸長していることを特徴とするタイヤ。
 【請求項１７】　請求項１６に記載のタイヤにおいて、前記横方向スロット（９ａ）は外方中央列（４）と関係され、該外方中央列（４）は、トレッド（１）の赤道面（Ｘ−Ｘ）に向かって内方肩列（５）に連続的かつ並列的に配置されていることを特徴とするタイヤ。
 【請求項１８】　請求項１に記載のタイヤにおいて、前記ブロック列（６）の少なくとも１つは、第１及び第２の横方向カット部分（８、９）に平行に伸びる第３の横方向カット部分（１０）を更に具備することを特徴とするタイヤ。
 【請求項１９】　請求項１８に記載のタイヤにおいて、前記第３の横方向カット部分（１０）はトレッドの外側エッジ部（１ａ）に隣接した外方肩列（６）に関係していることを特徴とするタイヤ。」
と訂正する。』
（以下において、訂正後の請求項１ないし１９に係る発明を、それぞれ「本件発明１」ないし「本件発明１９」ということがある。）
　
２．訂正の目的の適否、新規事項の有無、及び特許請求の範囲の拡張・変更の存否
（１）訂正事項（ａ）について
　訂正事項（ａ）のうち、
　「トレッ外側エッジ部」を「トレッド外側エッジ部」と訂正することは、「トレッ外側エッジ部」が技術用語ではなく、訂正前の請求項１の記載がトレッドを設けた自動車ホイール用タイヤに係るものであることからすれば、「トレッド外側エッジ部」の誤記であることは明らかであるから、誤記の訂正を目的としたものであって、願書に添付した明細書又は図面に記載した事項の範囲内においてしたものであり、
　訂正により、「前記連続的に配列された第１のカット部分（８）が連続した横方向溝（１３）を画成し、」とすることは、願書に添付した明細書又は図面の段落【００２０】〜【００２１】、【００４１】〜【００４２】、【図１】等に、第１の横方向カット部分（８）を有した各列（３、４、５、６）において、連続的に配列された第１のカット部分（８）が連続した横方向溝（１３）を画成している旨記載されていること等に基づき、構成要件を付加するものであるから、特許請求の範囲の減縮を目的としたものであって、願書に添付した明細書又は図面に記載した事項の範囲内においてしたものであり、
　訂正により、「前記対応外側エッジ部（１ａ）から始まる前記横方向溝（１３）の各々は、前記長手方向溝（２）に略直交する１つの直線状部分と、曲線状連結部分と、前記長手方向溝（２）に対して傾斜的に配置された第２の直線状部分とを有する」とすることは、願書に添付した明細書又は図面の段落【００２１】〜【００２２】、【００４２】〜【００４４】、【図１】等に、連続的に配列された第１のカット部分（８）が連続した横方向溝（１３）を画成しており、外側（側方）のエッジ部（１ａ）から始まる横方向溝（１３）の各々は、長手方向溝（２）に略直交する１つの直線状部分と、曲線状連結部分と、前記長手方向溝（２）に対して傾斜的に配置された第２の直線状部分とを有する旨記載されていること等に基づき、構成要件を付加したものであるから、特許請求の範囲の減縮を目的としたものであって、願書に添付した明細書又は図面に記載した事項の範囲内においてしたものである。
　そして、訂正事項（ａ）は、実質上特許請求の範囲を拡張し、又は変更するものではない。
　
（２）訂正事項（ｂ）について
　訂正事項（ｂ）は、訂正事項（ａ）により「前記連続的に配列された第１のカット部分（８）が連続した横方向溝（１３）を画成し、」が請求項１に付加され、請求項１が減縮されたことに伴い、請求項１を引用している請求項１０において重複することとなった同じ文言について削除するものであるから、明りょうでない記載の釈明を目的としたものであって、願書に添付した明細書又は図面に記載した事項の範囲内においてしたものである。そして、請求項１に係る訂正事項（ａ）と同様に、請求項１０に係る訂正事項（ｂ）は、実質上特許請求の範囲を拡張し、又は変更するものではない。
　
（３）訂正事項（ｃ）について
　訂正事項（ｃ）は、請求項を削除するものであるから、特許請求の範囲の減縮を目的としたものであって、願書に添付した明細書又は図面に記載した事項の範囲内においてしたものである。また、実質上特許請求の範囲を拡張し、又は変更するものではない。
　
（４）訂正事項（ｄ）について
　訂正事項（ｄ）は、訂正事項（ｃ）に係る請求項１１の削除に伴い、請求項の繰り上げと、請求項を引用した形式で記載されていたものについての請求項番号の整合を図るものであるから、明りょうでない記載の釈明を目的としたものであって、願書に添付した明細書又は図面に記載した事項の範囲内においてしたものである。また、実質上特許請求の範囲を拡張し、又は変更するものではない。
　
３．独立特許要件
　特許異議の申立てがされていない訂正前の請求項１２、１３、１６、１９、２０についての訂正を見てみると、訂正後はそれぞれ請求項１１、１２、１５、１８、１９に対応していて、訂正事項（ｄ）によっては引用請求項番号以外に実質上の文言の変更はされていないが、これらはいずれも直接的又は間接的に請求項１を引用して記載されているものであり、訂正事項（ａ）は少なくとも請求項１の減縮を目的としたものであることからすれば、訂正前の請求項１２、１３、１６、１９、２０についての訂正は、少なくとも特許請求の範囲の減縮を目的としたものに該当する。
　そこで、訂正後の請求項１１、１２、１５、１８、１９に係る発明（本件発明１１、・・・本件発明１９）の独立特許要件について検討する。
　
３−１．本件発明１１について　
（１）本件発明１１の構成要件
　本件発明１１は、訂正後の特許請求の範囲の請求項１１に記載されたとおりの以下のものである。
「【請求項１１】　請求項１０に記載のタイヤにおいて、前記長手方向溝（２）は前記第１の横方向カット部分（８）の幅よりも小さな幅を有することを特徴とするタイヤ。」
　訂正後の請求項１０は請求項１を引用して記載されているから、本件発明１１は、少なくとも本件発明１の構成要件である以下の点をすべて構成要件として含むものである。
「低い走行ノイズを生ずるトレッドを設けた自動車ホイール用タイヤであって、該トレッドは、複数の形状ブロック（７）を形成された隆起パターンを具備し、該ブロックは、タイヤの円周方向に伸びる長手方向溝（２）により境界付けられた平行の円周方向列（３、４、５、６）内に分配され、かつ該各ブロックは個々の横方向カット部分（８、９、１０）により互に分離された所定個数の形状ブロック（７）を具備する前記タイヤにおいて、
　該各列（３、４、５、６）の形状ブロック（７）の個数は、所定の列の形状ブロックの個数が、トレッド（１）の赤道面（Ｘ−Ｘ）の方へ並列的関係で連続的に配置された隣接列の形状ブロックの個数よりも大きいことにより、該トレッドは、トレッド外側エッジ部（１ａ）から前記赤道面へ向かうに従い長手方向剛性が徐々に増加し、前記列（３、４、５、６）の各々が第１の横方向カット部分（８）を有し、該各カット部分（８）が並列的かつ隣接的に配置されたブロックに属する第１の横方向カット部分（８）の１つに対して連続的に伸びており、前記ブロック列（５、６）の少なくとも１つは第２の横方向カット部分（９）を有し、該各第２の横方向カット部分（９）は前記第１のカット部分（８）の２つの間の中間位置にあり、
　前記連続的に配列された第１のカット部分（８）が連続した横方向溝（１３）を画成し、
　前記対応外側エッジ部（１ａ）から始まる前記横方向溝（１３）の各々は、前記長手方向溝（２）に略直交する１つの直線状部分と、曲線状連結部分と、前記長手方向溝（２）に対して傾斜的に配置された第２の直線状部分とを有する」点。
　そこで、まず、本件発明１について、申立人が提示した甲第１〜５号証に記載された発明との対比を行う。
 　
（２）甲各号証の記載について
　申立人が提示した甲第１ないし５号証は以下のとおりである。
　　甲第１号証：特開平５−６９７０７号公報
　　甲第２号証：特開平４−２５０８号公報
　　甲第３号証：特開平４−１９３６０７号公報
　　甲第４号証：特開平１−２７５２０２号公報
　　甲第５号証：特開平４−３１７８０５号公報
　
（２−１）甲第１号証には、以下のア．〜エ．の記載が認められる。
ア．「平坦に形成されたトレッド部(1)の外表側にトレッド幅方向の間隔をおいて円周方向全長に連続する３本の主溝(2)(3)(4)が形成され、この主溝(2)(3)(4)をトレッド幅方向に連通する複数本の副溝(5)がトレッド中心に対して傾めに交叉されてタイヤの円周方向に間隔をおいて配置され、前記主溝(2)(3)(4)のうち１本はトレッド中心に位置し他の２本はそれぞれトレッド中心に関して対称位置に形成されている・・・車両用タイヤ。」（特許請求の範囲の請求項１）
イ．「本発明は、トレッド部に形成される主溝および副溝の溝巾と溝深さの比および実接地面積と全接地面積の比を特定することによって、降雨時の排水性を損うことなくセミウエット時からドライ路面における繰安特性の向上を図った車両用タイヤを提供することが目的である。」（段落【０００４】）
ウ．「図を参照して本発明の実施例を説明すると、トレッド部1を展開して示した図１において、該トレッド部1はタイヤ外径の値以上のトレッド半径をもっていることで平坦に形成されており、このトレッド部1の外表側には、トレッド中心に位置するセンター主溝2とトレッド中心に関して対称位置に形成された両サイド主溝3,4との３本の主溝2,3,4がトレッド幅方向の間隔をおいて円周方向全長にほぼ直線状として連続して形成してある。」（段落【０００７】及び図１を参照）
エ．「前記主溝2,3,4をトレッド幅方向に連通する複数本の副溝5が車両の進行方向をA とするとトレッド中心に対して例えば25°〜35°の角度θをもって傾めに交叉されてタイヤの円周方向に間隔をおいて配置され、ここに、タイヤ中心線に関して左右で線対称形状とされた略菱形のブロック6,7と鷹羽形のショルダーブロック8,9が区画形成されている。なお、ショルダーブロック8,9にはサイプ8A,9Aを形成している。」（段落【０００８】及び図１を参照）
　
（２−２）甲第２号証には、以下のオ．の記載が認められる。
オ．「一対のサイドウォール部に跨がって延びる円筒状をしたトレッド部の外表面に、軸方向に互いに所定間隔離れて配置された複数本の周方向に延びる主溝を形成することにより、周方向に延びる複数本の陸部列を画成するとともに、これら陸部列にトレッド端からタイヤ赤道面に向かうに従いタイヤ回転方向前方に向かって傾斜した複数の横溝を周方向に所定間隔離して形成した高速走行用空気入りタイヤにおいて、少なくともいずれか１本の陸部列における横溝を、両端が主溝に開口する横断溝と、トレッド端に近接する一端が主溝に開口する一方、タイヤ赤道面に近接する他端が陸部列の幅方向途中において終わる中断溝と、から構成し、かつ、前記中断溝の周方向両側に横断溝を配置するようにしたことを特徴とする高速走行用空気入りタイヤ。」（特許請求の範囲）
　
（２−３）甲第３号証には、以下のカ．〜ク．の記載が認められる。
カ．「１　タイヤ周方向にのびる複数本の縦溝により形成されたリブを、一方のトレッド縁から他方のトレッド縁まで同じ向きでのびる横溝又はタイヤ赤道を中心として対称にのびる横溝により区分したブロックからなるブロック列を形成するとともに、前記ブロック列の内、タイヤ赤道から該タイヤ赤道とトレッド縁との間の距離の半分長さまでのクラウン域にブロックのタイヤ軸方向中間点が含まれるクラウン域のブロック列ＣＢの１つのブロック列に含まれるブロックの数Ａと、クラウン域両側のショルダー域にタイヤ軸方向中間点が含まれるショルダー域のブロック列ＳＢの１つのブロック列に含まれるブロックの数Ｂとの内、数の少ない方のブロックの数Ｎ（Ａ、Ｂ）と、数の多い方のブロックの数Ｍ（Ａ、Ｂ）との比Ｎ（Ａ、Ｂ）／Ｍ（Ａ、Ｂ）を０．５以上かつ０．９以下とした空気入りタイヤ。」（特許請求の範囲）
キ．「さらにトレッド部２には、第２図に示すように、タイヤ赤道ＣＯの両側かつ対称に、トレッド巾ＴＷを略５等分する位置にタイヤ周方向にのびる４本の縦溝Ｇ１、Ｇ１、Ｇ２、Ｇ２が設けられる。
　これにより、トレッド部２にはタイヤ赤道ＣＯを通る中央リブＲ１と、トレッドの外縁ｅ１、ｅ２に沿う側リブＲ２、Ｒ２と、その間の中間リブＲ３、Ｒ３とが設けられる。」（公報第５頁左上欄第５〜１２行及び第２図を参照）
ク．「又中央リブＲ１、外リブＲ２、中間リブＲ３には、本実施例では、一方のトレッドの外縁ｅ１から他方のトレッドの外縁ｅ２まで同じ向き・・・でしかも中央リブＲ１の中央部の途切れ部を有してのびる横溝ｇ１…が一定の横溝間ピッチＰ１で周方向に隔設される。又本実施例では、右の外リブＲ３には縦溝Ｇ２とトレッドの外縁ｅ１とを結びかつ前記横溝ｇ１、ｇ１間を２等分する位置でかつ横溝ｇ１と同じ向きしかも同じ傾斜角度で傾く短い横溝ｇ２…が設けられる。」（公報第５頁右上欄第９〜１９行）
　
（２−４）甲第４号証には、以下のケ．〜シ．の記載が認められる。
ケ．「タイヤの周方向に沿って実質的にストレート状に延びた少なくとも１本の主溝、タイヤのセンター部からショルダー部に向かって楔形に屈曲した形状を有する複数のサブ溝とからなり、かつ次の要件を満足するトレッドデザインを有する乗用車用空気入りタイヤ。
 (1)前記主溝とサブ溝により形成される、タイヤの全周上のブロック数が３０〜４５個であること、
 (2)溝面積比率が２０〜３０％の範囲内であること、
 (3)・・・サブ溝の屈曲点が・・・主溝位置から外れた位置にあること。」（特許請求の範囲）
コ．「本発明の目的は、タイヤのウェットコーナリング性能を損なわずに、ドライ性能の改良、向上されたタイヤを提供することである。」（公報第１頁右下欄下から３〜１行）
サ．「第１図は、本発明タイヤのトレッドデザインの１例を示す平面図であり、図に示す通り、タイヤの周方向に沿って実質的にストレート状に延びる主溝１、タイヤセンター部からショルダー部に向かって主溝１間を相互に繋ぐ複数のサブ溝２からなっている。」（公報第２頁左上欄下から７〜２行及び第１図を参照）
シ．タイヤのトレッドデザインの平面図として、以下のａ）〜ｇ）が示されている第１図。
ａ）タイヤのセンター部ＣＬで示された線上と重なっている部分にある中央溝。
ｂ）タイヤのセンター部から両側に２本ずつ、計４本の主溝１。
ｃ）タイヤセンター部からショルダー部に向かって主溝１間を相互に繋ぐ複数のサブ溝２。
ｄ）中央溝とセンター部側の２本の主溝それぞれとの間に、それらと並行に円周方向に形成されており、中途で切れる溝（図面上には各３つずつ示されている）を有した２本のリブ。
ｅ）タイヤのセンター部側の主溝それぞれとそのショルダー部側の主溝それぞれとの間にあり、それら主溝とサブ溝により形成されており、センター部両側にあるセンター部側のブロック。ブロックは、タイヤの円周方向にブロック列として延びている。
ｆ）ショルダー部側の２本の主溝それぞれのショルダー部側にあり、それぞれの主溝とサブ溝により形成されており、センター部両側にあるショルダー部側のブロック３。ブロック３は、タイヤの円周方向にブロック列として延びている。
ｇ）ショルダー部側ブロック上であって、該ブロックを形成している２本のサブ溝の間の中間位置にあり、エッジ部から横方向に延びて中途で切れ、該ブロックの幅よりも小さい幅の部分にわたっている溝。　
　
（２−５）甲第５号証には、以下のス．〜セ．の記載が認められる。
ス．「【請求項１】１対のサイドウォール間にまたがってトロイダル状に連なるトレッドに、このトレッドの中央周線とトレッド端との間で該中央周線に沿って延びる複数の周溝及びこれら周溝を横切る向きで延びる多数の横溝にて区画され中央周線に沿って並ぶブロック列をそなえる空気入りタイヤであって、該ブロック列の各ブロックにおいて対辺をなす横溝の一方を含むブロックの周方向長さで定義されるピッチにつき、各ブロック列におけるピッチの平均値が上記中央周線からトレッド端へ順次に減少する組合わせで各ブロックを配置したことを特徴とする騒音を低減した空気入りタイヤ。」（特許請求の範囲の請求項１）
セ．「横溝４〜６は、周溝に対して傾斜しかつ、その傾斜角度α１〜α３が中央周線Ｏからトレッド端Ｅへ増大（すなわちα１＜α２＜α３）し、トレッド端Ｅから中央周線Ｏへ実質上収斂する矢筈状の配置になる。これは中央周線Ｏ付近におけるブロックと路面との衝突音がタイヤ騒音の大きな部分を占めるため、トレッドの中央を連続したリブ７とし、このリブ７と周溝１，１を介して隣接するブロック８，８からトレッド端Ｅに向かって横溝の傾斜角を増加させたものである。それによって、ブロックのエッジ部が路面に同時に接することを回避し、ピッチノイズ成分を低減し得るトレッドパターンとした。さらにこのトレッドパターンにおいては、横溝の幅を横溝４から６へと順次広くしたり、あるいはブロック列８〜１０のネガティブ比をほぼ等しくすることができる。また横溝の本数は、ブロック列１０からトレッド中央（リブ７は横溝なし）に向かって順次減少させることが好ましい。さらにリブ及びブロックのタイヤ軸方向の幅はリブ７からブロック列８，９，１０へと順次増加することが望ましい。一方溝深さは、周溝の深さと同等か多少浅くする。」（段落【０００７】）
　
（３）対比、判断
　甲第１号証には、上記摘示ア．に係る車両用タイヤにおいて、上記摘示ウ．より、両サイド主溝（３，４）を有し、上記摘示エ．より、副溝（５）、ブロック（６，７）、ショルダーブロック（８，９）及びショルダーブロック（８，９）に形成されたサイプ（８Ａ，９Ａ）を有したものが記載されている。また、上記摘示ウ．、エ．により把握されるタイヤのトレッド部について示された図１を参照すると、ショルダーブロック（８，９）は、その円周方向を境界付けている２つの副溝（５）の間の中間位置にサイプ（８Ａ，９Ａ）が形成されていることにより、その円周方向列の個数はブロック（６，７）の個数よりも大きく、そのトレッドの構造上、トレッドの外側エッジ部から赤道面へ向かうに従い長手方向剛性が徐々に増加するものであると認められるから、甲第１号証には、
「トレッド部（１）を設けた車両用タイヤであって、トレッド部（１）は、両サイド主溝（３，４）及び副溝（５）を有し、ブロック（６，７）、ショルダーブロック（８，９）及びショルダーブロック（８，９）に形成されたサイプ（８Ａ，９Ａ）を有し、トレッドの外側エッジ部から赤道面へ向かうに従い長手方向剛性が徐々に増加するものである車両用タイヤ。」
の発明が記載されていると認められる。
　そこで、本件発明１とこの甲第１号証に記載された発明とを対比すると、甲第１号証に記載された発明における副溝（５）は、本件発明１における第１の横方向カット部分に対応すると認められるが、両者は、
　本件発明１において、第１の横方向カット部分が連続した横方向溝（１３）を画成し、外側エッジ部（１ａ）から始まるその各々は、長手方向溝（２）に略直交する１つの直線状部分と、曲線状連結部分と、前記長手方向溝（２）に対して傾斜的に配置された第２の直線状部分とを有することを、構成要件としている点（以下、「相違点１」という。）、
で少なくとも相違している。
　相違点１に関し、甲第２ないし５号証に記載された事項について検討する。
　甲第２号証には、上記摘示オ．に、トレッド端からタイヤ赤道面に向かうに従いタイヤ回転方向前方に向かって傾斜した複数の横溝を周方向に所定間隔離して形成したタイヤについて記載されているが、相違点１については記載も示唆もない。
　甲第３号証には、上記摘示カ．〜ク．に、一方のトレッド縁から他方のトレッド縁まで同じ向きでのびる横溝又はタイヤ赤道を中心として対称にのびる横溝を有したタイヤについて記載されているが、相違点１については記載も示唆もない。
　甲第４号証には、上記摘示ケ．〜シ．に、タイヤのセンター部からショルダー部に向かって楔形に屈曲した形状を有する複数のサブ溝を有するタイヤについて記載されているが、相違点１については記載も示唆もない。
　甲第５号証には、上記摘示ス．〜セ．に、トレッドの中央周線とトレッド端との間で該中央周線に沿って延びる複数の周溝及びこれら周溝を横切る向きで延びる多数の横溝にて区画され中央周線に沿って並ぶブロック列をそなえ、横溝は、周溝に対して傾斜しかつ、その傾斜角度α１〜α３が中央周線Ｏからトレッド端Ｅへ増大（すなわちα１＜α２＜α３）し、トレッド端Ｅから中央周線Ｏへ実質上収斂する矢筈状の配置になったタイヤについて記載されているが、相違点１については記載も示唆もない。
　以上のとおり、相違点１については、甲第２ないし５号証に記載も示唆もなく、この点が技術常識であるともいえないから、本件発明１は、甲第１ないし５号証に記載された発明に基づき当業者が容易に発明できたものではない。
　そして、本件発明１１は、本件発明１の構成要件をすべて含み、さらに技術的な限定を加える構成要件を有したものであるから、本件発明１が甲第１ないし５号証に記載された発明に基づき当業者が容易に発明できたものではない以上、本件発明１１についても、甲第１ないし５号証に記載された発明に基づき当業者が容易に発明できたものであるとはいえない。また、本件発明１１に係る特許出願の際にこれを拒絶すべき理由は、他にも見当たらない。
　よって、本件発明１１は、出願の際、独立して特許を受けることができるものである。
　
３−２．本件発明１２、１５、１８、１９について　
　本件発明１２、１５、１８、１９は、訂正後の特許請求の範囲のそれぞれの請求項に記載されたとおりの以下のものである。
「【請求項１２】　請求項１に記載のタイヤにおいて、前記長手方向溝（２）の幅と前記第１の横方向カット部分（８）の幅との比は、０．６〜０．２の範囲内にあることを特徴とするタイヤ。
 【請求項１５】　請求項１４に記載のタイヤにおいて、前記第２のカット部分（９）の幅と前記第１のカット部分（８）の幅との比が０．５〜１．０の範囲にあることを特徴とするタイヤ。
 【請求項１８】　請求項１に記載のタイヤにおいて、前記ブロック列（６）の少なくとも１つは、第１及び第２の横方向カット部分（８、９）に平行に伸びる第３の横方向カット部分（１０）を更に具備することを特徴とするタイヤ。
 【請求項１９】　請求項１８に記載のタイヤにおいて、前記第３の横方向カット部分（１０）はトレッドの外側エッジ部（１ａ）に隣接した外方肩列（６）に関係していることを特徴とするタイヤ。」
　訂正後の請求項１４は請求項１を引用して記載されているから、本件発明１２、１５、１８、１９は、いずれも本件発明１の構成要件をすべて構成要件として含み、さらに技術的な限定を加える構成要件を有したものである。
　そして、本件発明１は、上記「３−１．本件発明１１について」で検討したとおり、甲第１ないし５号証に記載された発明に基づき当業者が容易に発明できたものではないから、同様に、本件発明１２、１５、１８、１９についても、甲第１ないし５号証に記載された発明に基づき当業者が容易に発明できたものであるとはいえない。また、本件発明１２、１５、１８、１９に係る特許出願の際にこれを拒絶すべき理由は、他にも見当たらない。
　よって、本件発明１２、１５、１８、１９は、出願の際、独立して特許を受けることができるものである。
　
４．むすび
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
ＩＩＩ．特許異議の申立てについて
１．本件発明
　上記のとおり訂正は認められるから、本件特許第３４１４８３９号の請求項１ないし１０、１４、１５、１７、１８に係る発明は、それぞれ、本件発明１ないし１０、１３、１４、１６、１７に対応するものとして訂正された。
　
２．特許異議申立ての理由の概要
　申立人は、証拠として甲第１ないし５号証を提示し、訂正前の本件請求項１ないし１０、１４、１５、１７、１８に係る発明は、甲第１ないし５号証に記載された発明に基づいて当業者が容易に発明できたものであり、特許法第２９条第２項の規定により特許を受けることができない発明であるから、本件請求項１ないし１０、１４、１５、１７、１８に係る特許は取り消されるべきものである旨主張している。
　なお、申立人の提示した甲各号証については、上記「ＩＩ．平成１７年３月１０日付け訂正請求書による訂正の適否について」の「３．独立特許要件」において摘示したとおりである。
　
３．当審による取消理由通知の概要　
　平成１６年８月３１日付け取消理由通知の概要は、以下のとおりである。
『　本件特許の請求項１、３〜６、１０、１５、１７に係る発明は、その出願前日本国内または外国において頒布された下記の刊行物Ａまたは刊行物Ｂに記載された発明であるから、特許法第２９条第１項第３号に該当する発明である。
　
　　　　　　　　　　　　　　　　　記
引用刊行物
（１）刊行物Ａ：特開平５−６９７０７号公報（特許異議申立人　株式会社ブリヂストンの提示した甲第１号証）
（２）刊行物Ｂ：特開平１−２７５２０２号公報（特許異議申立人　株式会社ブリヂストンの提示した甲第４号証）　』
　
４．当審の判断
（１）本件発明１について
　本件発明１と、甲第１ないし５号証に記載された発明との対比判断については、上記「ＩＩ．平成１７年３月１０日付け訂正請求書による訂正の適否について」の「３．独立特許要件　（３）対比、判断」で述べたとおりであり、本件発明１は、甲第１ないし５号証に記載された発明に基づき当業者が容易に発明できたものではない。
　
（２）本件発明２ないし１０、１３、１４、１６、１７について
　本件発明２ないし１０、１３、１４、１６、１７は、いずれも本件発明１をさらに技術的に限定するものであるから、本件発明１が、甲第１ないし５号証に記載された発明に基づき当業者が容易に発明できたものではない以上、本件発明２ないし１０は、甲第１ないし５号証に記載された発明に基づき当業者が容易に発明できたものであるとはいえない。
　　
（３）当審の通知した取消理由について
　当審が平成１６年８月３１日付けで通知した取消理由については、本件訂正が認められたことにより、妥当性を欠くものとなった。
　
５．むすび
　以上のとおりであるから、特許異議申立ての理由及び証拠によっては本件請求項１ないし１０、１３、１４、１６、１７に係る発明についての特許を取り消すことはできない。
　また、他に本件請求項１ないし１０、１３、１４、１６、１７に係る発明についての特許を取り消すべき理由を発見しない。
　よって、結論のとおり決定する。
【異議決定日】
平成１７年３月２４日（２００５．３．２４）
【訂正の要旨】
審決（決定）の【理由】欄参照。
（５４）【発明の名称】
自動車用タイヤ
（５７）【特許請求の範囲】
　【請求項１】　低い走行ノイズを生ずるトレッドを設けた自動車ホイール用タイヤであって、該トレッドは、複数の形状ブロック（７）を形成された隆起パターンを具備し、該ブロックは、タイヤの円周方向に伸びる長手方向溝（２）により境界付けられた平行の円周方向列（３、４、５、６）内に分配され、かつ該各ブロックは個々の横方向カット部分（８、９、１０）により互に分離された所定個数の形状ブロック（７）を具備する前記タイヤにおいて、
　該各列（３、４、５、６）の形状ブロック（７）の個数は、所定の列の形状ブロックの個数が、トレッド（１）の赤道面（Ｘ−Ｘ）の方へ並列的関係で連続的に配置された隣接列の形状ブロックの個数よりも大きいことにより、該トレッドは、トレッ
ド
り、
　
前記連続的に配列された第１のカット部分（８）が連続した横方向溝（１３）を画成し、
　
前記対応外側エッジ部（１ａ）から始まる前記横方向溝（１３）の各々は、前記長手方向溝（２）に略直交する１つの直線状部分と、曲線状連結部分と、前記長手方向溝（２）に対して傾斜的に配置された第２の直線状部分とを有す
　【請求項２】　請求項１に記載のタイヤにおいて、トレッドの中央ライン（Ｘ−Ｘ）の各軸方向片側上の前記ブロック列（３、４、５、６）の個数は３以上かつ５以下であることを特徴とするタイヤ。
　【請求項３】　請求項１に記載のタイヤにおいて、少なくとも１つの連続的円周方向リブ（１１）が赤道面（Ｘ−Ｘ）に近接して配置され、該リブは前記長手方向溝（２）の２つの間に限定配置されることを特徴とするタイヤ。
　【請求項４】　請求項３に記載のタイヤにおいて、前記トレッドは、該トレッドの赤道面（Ｘ−Ｘ）に関して対称的に配置されかつ１つの中央溝（１２）により相互に分離された２つの前記円周方向リブ（１１）を具備することを特徴とするタイヤ。
　【請求項５】　請求項１に記載のタイヤにおいて、前記内方中央列（３）の前記形状ブロックの個数が２０〜４０の範囲内にあることを特徴とするタイヤ。
　【請求項６】　請求項１に記載のタイヤにおいて、前記形状ブロックの個数は、１つの列から軸方向外側へ向かって連続的に並列関係で配置された列に至る際に倍増されることを特徴とするタイヤ。
　【請求項７】　請求項１に記載のタイヤにおいて、前記形状ブロックを有する各列（３、４、５、６）において、横方向カット部分（８、９、１０）が隣接する長手方向溝（２）との間でインパクト角度「α」を画成し、所定の列のインパクト角度の広がりは、赤道面へ向かって並列的かつ連続的に配置された隣接ブロック列の横方向カット部分により形成されたインパクト角度の広がりより大きいことを特徴とするタイヤ。
　【請求項８】　請求項７に記載のタイヤにおいて、前記赤道面（Ｘ−Ｘ）に最も近いブロック列（３）のインパクト角度「α」が１５°〜２５°の範囲にあることを特徴とするタイヤ。
　【請求項９】　請求項７に記載のタイヤにおいて、前記側方エッジ部（１ａ）に最も近いブロック列（６）のインパクト角度「α」が７０°〜１０５°の範囲にあることを特徴とするタイヤ。
　【請求項１０】　請求項１に記載のタイヤにおいて、該各横方向溝（１３）が、トレッド（１）の対応外側エッジ部（１ａ）から前記赤道面（Ｘ−Ｘ）に近接するに至るまで伸びていることを特徴とするタイヤ。
　【請求項１１】　請求項１０に記載のタイヤにおいて、前記長手方向溝（２）は前記第１の横方向カット部分（８）の幅よりも小さな幅を有することを特徴とするタイヤ。
　【請求項１２】　請求項
１
　【請求項１３】　請求項１に記載のタイヤにおいて、前記第２のカット部分（９）は、トレッド（１）の外側エッジ部（１ａ）に隣接した外方肩列（６）と、赤道面（Ｘ−Ｘ）へ向かって該外方肩列（６）に並列的に配置された内方肩列（５）とに関係していることを特徴とするタイヤ。
　【請求項１４】　請求項１に記載のタイヤにおいて、前記第２のカット部分（９）の幅寸法は前記第１のカット部分（８）の幅寸法よりも小さいことを特徴とするタイヤ。
　【請求項１５】　請求項
１４
　【請求項１６】　請求項１に記載のタイヤにおいて、前記列（４）の少なくとも１つの形状ブロック（７）が夫々少なくとも１つの横方向スロット（９ａ）を有し、該各横方向スロット（９ａ）は前記第２のカット部分（９）の１つの伸長部分に対応して、該ブロック自体の幅より小さい幅の部分にわたって赤道面（Ｘ−Ｘ）に向かって伸長していることを特徴とするタイヤ。
　【請求項１７】　請求項
１６
　【請求項１８】　請求項１に記載のタイヤにおいて、前記ブロック列（６）の少なくとも１つは、第１及び第２の横方向カット部分（８、９）に平行に伸びる第３の横方向カット部分（１０）を更に具備することを特徴とするタイヤ。
　【請求項１９】　請求項
１８
【発明の詳細な説明】
　【０００１】
　【産業上の利用分野】本発明は、低い走行ノイズを生ずるトレッドを設けた自動車ホイール用タイヤであって、該トレッドは、複数の形状ブロックを形成された隆起パターンを具備し、該ブロックは、タイヤの円周方向に伸びる長手方向溝により境界付けられた平行の円周方向列内に分配され、かつ該各ブロックは個々の横方向カット部分により互に分離された所定個数の形状ブロックを具備する前記タイヤに関する。
　【０００２】
　【従来の技術】従来、道路用自動車タイヤであって、複数の形状ブロックを画成するトレッド上に複数の長手方向溝及び横方向カット部分（ｃｕｔｓ）を有し、該ブロックが適切に研究された特別のパターンに応じて分配されたような前記タイヤが知られている。
　【０００３】前記パターン内に設けられた複数の長手方向溝は、幾つかの並列した列（ｓｅｖｅｒａｌ　ｓｉｄｅ　ｂｙ　ｓｉｄｅ　ｒｏｗｓ）内に形状ブロックが分配される効果により、タイヤに対してホイール軸と平行に指向されるドリフトスラスト（横滑り軸方向力）についての方向制御安定性及び道路保持力における好ましい特徴をもたらす。次に、前記横方向カット部分はタイヤに対して好ましい牽引的特徴、即ち自動車のスピードアップ及びスローダウン期間中に走行方向と平行のタンジェンシャルスラスト（接線方向力）を効率的に伝達する能力をもたらす。原理的には、タイヤの牽引力は、トレッドに配置された横方向カット部分の個数が増加するほどかつカット部分自体の配向が走行方向と直行する方向に近付くほど大きくなる傾向にある。
　【０００４】加えて、長手方向溝と横方向カット部分とは互いに共働して、濡れた道路ベッド上を走行する期間中に水がタイヤの刻印領域（ｉｍｐｒｉｎｔｉｎｇ　ａｒｅａ）から効率的に排出される作用を行う。
　【０００５】しかしながら、横方向カット部分及び長手方向溝は、タイヤの回転走行により生ずる公知のノイズ効果の原因となる。更に詳細には、回転走行ノイズの主原因の１つは、道路ベッド上に形状ブロックのコーナ部が連続的かつ継続的にインパクト（衝撃）を与えるためであることがわかった。
　【０００６】ノイズを生ずる他の原因は、道路ベッドがタイヤの刻印領域に入りかつ出て行くときに形状ブロックが道路ベッドに接触して受ける摩擦力（ｒｕｂｂｉｎｇｓ）によりもたらされる。これらの摩擦力はトレッドに必然的に生ずる変形に本質的に起因しており、自由状態で二重曲げを伴う凸状形態（ｃｏｎｖｅｘ　ｃｏｎｆｏｒｍａｔｉｏｎ　ｗｉｔｈ　ａ　ｄｏｕｂｌｅ　ｂｅｎｄｉｎｇ）を有する外面が、不可避的に道路ベッドに対して平坦状になる。
　【０００７】刻印領域に対する入口領域及び出口領域間においてトレッドの変形を生ぜしめる動的（ｄｙｎａｍｉｃ）作用により、更に、形状ブロック間に画成された溝及びカット部分の周期的かつ容積的変化が生じ、これにより、溝及びカット部分内に含まれた空気に周期的な増圧的かつ減圧的作用（ｃｏｍｐｒｅｓｓｉｖｅ　ａｎｄ　ｄｅｃｏｍｐｒｅｓｓｉｖｅ　ａｃｔｉｏｎ）をもたらす。これらの空気の増圧的かつ減圧的現象はタイヤの回転走行により生ずるノイズの発生を助長する。
　【０００８】公知の技術では、タイヤの回転走行により生ずるノイズを制限するために幾つかの手段を示唆している。
　【０００９】長い間採用されて来た１つの手段は、単一の形状ブロックの長手方向寸法、即ち円周方向伸長部に沿った各寸法を異ならしめることである。換言すれば、ブロックは、通常は「ピッチ配列（ｐｉｔｃｈ　ｓｅｑｕｅｎｃｅ）」と呼ばれる円周方向連続部分内に分配された２つ又はそれ以上の異なるピッチ値に応じてトレッドの円周方向伸長部上に配置され、前記「ピッチ配列」は一般に円周方向伸長部の全体にわたって最大限に可能な不均一性（ｕｎｅｖｅｎｎｅｓｓ）を達成するように考慮される。この態様において、ブロックのインパクト及び摩擦力により生ずる圧力波は、回転走行の結果生ずる殆どの音響的エネルギーが集中される特別の周波数に対応して生ずるのではない。換言すれば、音響的エネルギーは広い周波数範囲にわたって分布（分配）し、これにより「乱暴運転効果（ｓｑｕｉｒｒｅｌ　ｅｆｆｅｃｔ）」として通常知られるやっかいなノイズ効果を除去する。
　【００１０】
　【発明が解決しようとする課題】しかしなお、音響的エネルギーを一層広い周波数範囲にわたって分布させる目的で、連続的かつ並列的に配置された円周方向列に属する複数のブロックを互に対してオフセットさせることが提案されて来た。しかしながら、この解決法によれば、水をトレッドの接触領域の中央部から外側エッジ部の方へ排出するのが困難になり、それゆえ十分な排出作用を達成するには長手方向溝の幅を増加させることが必要である。
　【００１１】他の手段としては、横方向カット部分に、走行方向と直交する方向に対して適当に傾斜した配向を与えることである。これにより、道路ベッド上のブロックのコーナ部のインパクト（衝撃）が「円滑化（ｓｍｏｏｔｈｅｄ）」され得るが、他方では、タイヤの牽引的特徴を損ねてしまう。
　【００１２】回転走行により生ずるノイズが非常に低減されるのは、形状ブロックに通常「サイプ（ｓｉｐｅｓ）」と呼ばれる追加のカット部分を形成することにより達成され、該サイプはブロックの弾性的変形可能性を増加させるものである。この解決法によれば、道路ベッド上のブロックのコーナ部のインパクト（衝撃）が円滑化され、これによりインパクトから生ずるノイズを低減し得る。しかしながら、ブロックの変形可能性が一層大きくなるので、摩擦力から生ずるノイズ効果が増加するであろう。
　【００１３】前記技術を記述した例については、本出願人のイタリア特許出願第２０２８４Ａ／９０を参照されたい。
　【００１４】
　【課題を解決するための手段】本発明によれば、タイヤの赤道面又は中央列に近接した円周方向列に配置されたブロックの個数が、トレッドの側方エッジ部又は肩列に隣接した列内に設けられた形状ブロックの個数より少ないことにより、タイヤの牽引的及び方向制御的特徴、及び水排出の効率を損ねることなくタイヤの回転走行により生ずるノイズを重要な低減を達成することが可能であることが見いだされた。
　【００１５】特に、本発明は、低走行ノイズを生ずるトレッドを設けた自動車ホイール用タイヤであって、各列（３、４、５、６）の形状ブロック（７）の個数は、所定の列の形状ブロックの個数が、トレッド（１）の赤道面（Ｘ−Ｘ）の方へ並列的関係で連続的に配置された隣接列の形状ブロックの個数よりも大きいことにより、該トレッドは、トレッ外側エッジ部（１ａ）から前記赤道面へ向かうに従い長手方向剛性が徐々に増加する。
　【００１６】少なくとも１つの連続的円周方向リブ（１１）が、赤道面（Ｘ−Ｘ）に近接して配置され、該リブは前記長手方向溝（２）の２つの間に限定配置される。
　【００１７】好ましくは、２つの円周方向リブが設けられ、それらは、トレッドの赤道面（Ｘ−Ｘ）に関して対称的に配置されかつ１つの中央溝（１２）により相互に分離されている。
　【００１８】本発明の他の特徴によれば、前記形状ブロックを有する各列（３、４、５、６）において、横方向カット部分（８、９、１０）が隣接する長手方向溝（２）との間でインパクト角度を画成し、所定の列のインパクト角度の広がりは、赤道面へ向かって並列的かつ連続的に配置された隣接ブロック列の横方向カット部分により形成されたインパクト角度の広がりより大きい。
　【００１９】更に詳しくは、前記赤道面（Ｘ−Ｘ）に最も近いブロック列（３）のインパクト角度が１５°〜２５°の範囲にあり、前記トレッドの側方エッジ部（１ａ）に最も近いブロック列（６）のインパクト角度が７０°〜１０５°の範囲にある。
　【００２０】好ましくは、前記列（３、４、５、６）の各々が第１の横方向カット部分（８）を有し、該各カット部分（８）が並列的かつ隣接的に配置されたブロックに属する第１の横方向カット部分（８）の１つに対して連続的に伸びている。
　【００２１】前記連続的に配列された第１のカット部分（８）が連続した横方向溝（１３）を画成し、該各横方向溝（１３）が、トレッド（１）の対応外側エッジ部（１ａ）から前記赤道面（Ｘ−Ｘ）に近接するに至るまで伸びている。
　【００２２】前記対応外側エッジ部（１ａ）から始まる前記横方向溝（１３）の各々は、前記長手方向溝（２）に略直交する１つの直線状部分と、曲線状連結部分と、前記長手方向溝（２）に対して傾斜的に配置された第２の直線状部分とを有する。
　【００２３】加えて、前記ブロック列（５、６）の少なくとも１つは第２の横方向カット部分（９）を有し、該各第２の横方向カット部分（９）は前記第１のカット部分（８）の２つの間の中間位置にある。
　【００２４】好ましくは、前記第２のカット部分（９）は、トレッド（１）の外側エッジ部（１ａ）に隣接した外方肩列（６）と、赤道面（Ｘ−Ｘ）へ向かって該外方肩列（６）に並列的に配置された内方肩列（５）とに関係している。
　【００２５】前記各第２のカット部分（９）はこれと隣接する第１のカット部分（８）から変化し得る距離だけ離れており、該第１のカット部分よりも小さな幅を有する。特に、第２のカット部分の幅と第１のカット部分の幅との比は５０％〜１００％の範囲内にある。
　【００２６】前記列（４）の少なくとも１つの形状ブロック（７）が夫々少なくとも１つの横方向スロット（９ａ）を有し、該各横方向スロット（９ａ）は前記第２のカット部分（９）の１つの伸長部分に対応して、該ブロック自体の幅より小さい幅の部分にわたって赤道面（Ｘ−Ｘ）に向かって伸長している。
　【００２７】前記横方向スロット（９ａ）は外方中央列（４）と関係され、該外方中央列（４）は、トレッド（１）の赤道面（Ｘ−Ｘ）に向かって内方肩列（５）に連続的かつ並列的に配置されていることを特徴とするタイヤ。
　【００２８】前記各横方向スロット（９ａ）は個々のブロックの幅寸法の約半分以上を伸びている。
　【００２９】前記ブロック列の少なくとも１つは更に、前記第１及び第２の横方向カット部分と平行に伸びる第３のカット部分（１０）を具備する。
　【００３０】一層詳しく言えば、前記第３の横方向カット部分（１０）はトレッドの外側エッジ部（１ａ）に隣接した外方肩列（６）に関係している。
　【００３１】好ましくは、外方肩列とこれに隣接するブロック列とを分離する長手方向溝は、第３のカット部分の各々と第１及び第２の隣接カット部分の何れかとの間に含まれる部分で中断される。
　【００３２】第３のカット部分は、好ましくは、第１及び第２のカット部分の幅より小さい幅を有する。更に詳しく言えば、前記各第３のカット部分の伸長部に沿って、赤道面に面しかつ１ｍｍ以下の幅を有する内方部分と、該内方部分よりも大きな幅を有する外方部分とを画成される。
　【００３３】更に他の特徴及び効果が、本発明による特に自動車用タイヤのための低い回転走行ノイズを生ずるトレッドパターンの好ましい具体例の記述から明らかになるであろうし、その記述は添付の図面を参照して限定的でない具体例により以下に説明される。
　【００３４】
　【実施例】図面中、１は、本発明による自動車タイヤ用のための特に低い走行ノイズを生ずるトレッドである。
　【００３５】このトレッド１は、複数の長手方向溝２を有し、該溝２どうしは互に適当な距離だけ離間し、かつトレッドを有するタイヤの円周方向に伸びている。そのような溝２は、トレッド１の幅部分に複数の円周方向列（ｒｏｗｓ）を画成し、該各列は並列関係で平行に配置されてタイヤの円周方向に伸びており、各列は、長手方向溝２に対して適当に配向された個々の横方向カット部分により互に分離された所定個数の形状ブロック７、７ａ、７ｂを具備する。
　【００３６】本発明によれば、好ましくは、各円周方向列３、４、５、６の形状ブロック７、７ａ、７ｂの個数は、これに対して、図１中ラインＸ−Ｘにより示されたトレッド１の赤道面の方向へ並列的にかつ連続的に隣接して配置された他の列のブロックの個数より大きい。換言すれば、各列３、４、５、６のブロック７、７ａ、７ｂの個数はトレッド１の中央領域から側方領域１ａへ向かうに従って徐々に増加する。
　【００３７】この手段により、トレッド１はその外側エッジ部から赤道面Ｘ−Ｘへ向かうに従い徐々に増加する長手方向剛性を有することになり、これは以下に述べることを目的とする。
　【００３８】本出願人は、隣接する列どうしのブロックの個数の変化は、タイヤの中央ライン（Ｘ−Ｘ）の各軸方向片側上の複数のブロック列の個数が３以上でありかつ好ましくは５以下であるときに、仕上がりタイヤ及びその使用中に大きな効果を与えることを見出した。特に、寸法が２０５／５０−Ｒ−１５のプロトタイプタイヤについて示された具体例では、トレッド１の赤道面Ｘ−Ｘにおいては、少なくとも１つの円周方向連続リブ１１が前記領域に配置されるので、ブロック７の個数は実質的にゼロであり、該リブ１１は２つの長手方向溝２間に限定配置される。
　【００３９】しかるに、特に赤道面Ｘ−Ｘに対称的に２つの円周方向リブ１１が対称的に配置されることが好ましく、該リブ１１は該各リブ１１と略同一の幅寸法を有する中央溝１２により相互に分離される。明らかに、タイヤの軸方向寸法が増加するに従って、該リブ１１の個数もまた増加するが、好ましくはその個数は３つ以下である。
　【００４０】リブ１１即ち赤道面Ｘ−Ｘから離れる外方には、内方中央列３、外方中央列４、内方肩列５及び外方肩列６があり、前記列は並列関係で連続的に配置されている。
　【００４１】それらの各列３、４、５、６はまず横方向カット部分８を有し、各カット部分８は好ましくは、並列的関係で配置された形状ブロックの隣接列に属する第１の横方向カット部分８の１つに連続的に面する。
　【００４２】実際には、第１のカット部分８は全体的には連続した横方向溝１３を画成し、各溝１３は、トレッド１の対応する外側エッジ部１ａから赤道面Ｘ−Ｘに近接するまで、一層特別には円周方向リブ１１の１つに近接するまで伸びている。この解決手段によれば、好ましくは長手方向溝の幅寸法をタイヤの牽引的特徴の効果を生ずるよう限定されるのを可能とし、濡れた道路ベッド上を走行する期間中の水排出作用は、途中で中断部分が実質的に無い伸長部を有する横方向溝１３に依存しており、この横方向溝１３により水はトレッド１の外側エッジ部１ａの方へ容易に流れ得る。
　【００４３】この点に関して、図１に見られる如く、長手方向溝２は、第１の横方向カット部分８や該横方向カット部分８により得られた横方向溝１３よりも小さな幅寸法を有する。一層詳しくは、長手方向溝２の幅寸法「１」と第１の横方向カット部分８の幅寸法「Ｌ」との比は、０．６〜０．２であり、好ましくは０．４である。
　【００４４】加えて、対応する側方エッジ部１ａから始まる横方向溝１３の各々は、長手方向溝２に略直角でかつ個々の肩列５、６に近接して伸びる１つの直線状部分と、外方中央列４に近接して伸びる１つの曲がった結合部分と、長手方向溝２に傾斜して配されかつ内方中央列３に近接して配された第２の直線状部分とを有していなければならない。
　【００４５】前記横方向溝１３の直線状部分の中でも、タイヤ側壁へ向かうに従い減少するセクションである軸方向最外側のセクションでは、該直線状部分はタイヤの赤道面に対して９０°より大きな傾斜角度を取り得、好ましくは１０５°以下である。
　【００４６】結論として、横方向溝１３を配置することにより、各ブロック列３、４、５、６において、横方向カット部分８が隣接した長手方向溝２との間にインパクト（衝撃）角度（ｉｍｐａｃｔ　ａｎｇｌｅ）「α」を形成する。このインパクト角の大きさ（ａｍｐｌｉｔｕｄｅ）は、並列的関係で赤道面Ｘ−Ｘ側へ連続的に配置された（隣接）ブロック列の横方向カット部分８と共に形成されたインパクト角度の大きさよりも大きくなっている。
　【００４７】換言すれば、異なる列３、４、５、６のブロック７のインパクト角度「α」は赤道面Ｘ−Ｘからトレッド１の外側エッジ部に向かうに従い徐々に増加する。
　【００４８】さらに詳細には、赤道面Ｘ−Ｘに最も近い内方中央列３のインパクト角度「α」の値は１５°〜２０°の範囲になければならず、一方トレッド１の側方エッジ部１ａに最も近い外方肩列６のインパクト角度「α」の値は７０°〜１０５°の範囲になければならない。
　【００４９】図示した具体例では、インパクト角度の値は赤道面Ｘ−Ｘから離れるに従い徐々に増加し、内方中央列３では２０°であるが、外方肩列６及び内方肩列５では９０°となる。
　【００５０】加えて、外方肩列６及び内方肩列５として示されるブロック列の１つ以上は、第２のカット部分９を設けられなければならず、各第２のカット部分９は、該カット部分９に対して隣接しかつ可変的な距離だけ離れた第１のカット部分８間の中間に位置している。
　【００５１】この可変的距離により、適当な「ピッチ配列（ｐｉｔｃｈ　ｓｅｑｕｅｎｃｅ）」が可能となり、このピッチ配列はできるだけ不均一にトレッド上に画成され、すでに述べた如くタイヤのノイズを大幅に低減する。
　【００５２】好ましくは、第２の横方向カット部分９は第１のカット部分８より小さな幅寸法「Ｌ」を有する。さらに詳しくは、第２のカット部分９の幅寸法と第１のカット部分８の幅寸法との比は、５０％〜１００％の範囲にあり、好ましくは約７０％である。
　【００５３】肩列５、６に第２のカット部分９が存在することにより、第１のカット部分８により画成されるブロック７、７ａ、７ｂの個数を倍増させる。
　【００５４】この点に関して、２つの並列的ブロック列のブロック個数どうしの比は、主カット部分（第１の横方向カット部分８）どうし間の中間位置の追加のカット部分（第２のカット部分９）の個数の変化に応じて変化するので、もし好都合なら、異なった対の主カット部分８どうし間の前記追加のカット部分９の個数を異なった態様で低減又は増加させることにより、前記比を２とは異なる値にし得る。
　【００５５】横方向スロット９ａが、第２のカット部分９からその隣接列（外方中央列４）に属するブロック７内へ赤道面Ｘ−Ｘへ向かって、対応ブロック７の幅寸法より小さい幅寸法部分だけ伸びている。
　【００５６】更に詳しくは、各横方向スロット９ａは、ブロック自体を境界付ける第１のカット部分８の伸長部分に略平行の伸長部分を形成するよう、個々のブロック７の幅寸法の約半分だけ伸びている。
　【００５７】外方中央列４にブロック７の横方向カット部分９ａを設けたことにより、該列４のブロックの個数を事実上増加させて、タイヤの良好な動作の目的を達成できる。ただし、その個数値は、第１のカット部分８の存在により外方中央列４に設定されるブロックの個数と、第１及び第２のカット部分８、９の存在により内方肩列５に設定されるブロックの個数との間に含まれなければならない。
　【００５８】外方肩列６としてのブロック列の１つ以上は、また、第１及び第２の横方向カット部分８、９に対して適当な距離だけ離れて平行に伸びる第３のカット部分１０を設けられる。各外方肩列６に第３のカット部分１０を設けたことにより、第１及び第２のカット部分８、９によりすでに画成されたブロック７ａ、７ｂの個数を略倍増させる。
　【００５９】特に、本発明によるタイヤのトレッドにおいて重要かつ多大な効果を得るために、内方中央列３のブロックの個数は好ましくは最大４０個と最小２０個との範囲内に含まれなければならない。
　【００６０】図１からわかる通り、外方肩列６及び内方肩列５の中間位置に長手方向溝２の伸長部分が、各第３のカット部分１０の端部と繰返し配列的に（ａｃｃｏｒｄｉｎｇ　ｔｏａｌｔｅｒｎａｔｅ　ｓｅｑｕｅｎｃｅ）出会って中断（ｉｎｔｅｒｒｕｐｔ）される。それゆえ、各外方肩列６は、隣接肩列５に属するブロック７を有する１ピース構造により形成される連結式ブロック７ａと、該ブロック７ａから少なくとも部分的に係合解除された形式の自由ブロック７ｂとから繰返し的に形成される。
　【００６１】第３の横方向カット部分１０は好ましくは、第１及び第２の横方向カット部分８、９の幅寸法より小さな幅寸法「Ｌ」を有する。好ましい解決法においては、第３のカット部分１０はその軸方向伸長部分に沿って赤道面Ｘ−Ｘに対向する内方部分１０ａと外方部分１０ｂとを有する。該内方部分１０ａの幅寸法は好ましくは１ｍｍ以下であり、かつ外方部分１０ｂの幅寸法は該内方部分１０ａの幅寸法より大きい。
　【００６２】公知の態様では、第１、第２及び第３の横方向カット部分８、９、１０はまた、トレッド１の円周方向伸長部に画成されたブロック７が、通常は「段階的配列（ｓｔｅｐｐｅｄ　ｓｅｑｕｅｎｃｅ）」と言われる所定の配列で繰返す異なった寸法を有するよう、分配して設けられるので、道路ベッド上を走行するタイヤに続いて生ずる音響エネルギーも広い周波数範囲に分布される。
　【００６３】前述した如く、前記第１、第２及び第３の横方向カット部分８、９、１０は、個々の中央列３、４及び肩列５、６に関係したブロック７の個数が、赤道面Ｘ−Ｘからトレッド１の側方エッジ部１ａへ向かうに従い徐々に増加し得るようになっている。
　【００６４】図３は、トレッド幅寸法に画成された異なった列３、４、５、６のブロックの個数の変化を示す。その図において、横座標軸「ａ」上の符号Ａ、Ｂ、Ｃ、Ｄ、Ｅにより示されたラインは、円周方向リブ１１、内方中央列３、外方中央列４、内方肩列５及び外方肩列６からなるトレッド１の幅部分に対応している。縦座標軸「ｂ」上に数値的に示されたのは、個々の領域Ａ、Ｂ、Ｃ、Ｄ、Ｅに配置されたブロックの個数であり、これは領域Ｂに対応する内方中央列３に設けられたブロックの個数を基準とする。
　【００６５】領域Ｃについての鎖線Ｃ′は、第１のカット部分８及びスロット９ａの効果により外方中央列４内で設定可能のブロックの事実上の個数である。
　【００６６】好ましくは、ブロックの個数を１つの列から次の列へ変化させることにより、これに応じてトレッド幅の対応領域で設定可能の長手方向剛性も変化する。図２のグラフで明らかになる如く、そのような長手方向剛性は、その最大値が円周方向リブ１１で達成される限りにおいて、トレッド１の外側エッジ部１ａから赤道面Ｘ−Ｘへ向かうに従い徐々に増加する。
　【００６７】本発明によれば、長手方向剛性のそのような変化は、従来例に比して、トレッド１が関係するタイヤにより生ずる走行ノイズを大幅に低減し得ることがわかったが、これは特に自動車の外方へ伝達されるノイズについてである。
　【００６８】この点に関して、外方へのノイズを最も生じ易いトレッド領域は赤道面Ｘ−Ｘに最も近い領域であることがわかった。特に、その領域では、走行により生ずるノイズは、接触領域が道路ベッドに対して接触及び分離を行う一時的段階期間中にブロックが摩擦及び変形を受けることにより特に強調される。
　【００６９】何ゆえ摩擦がトレッドの内方領域で大きくなり易いかをより良く説明するために、次の考察が必要となろう。
　【００７０】とりわけブロックが地面から分離してしまうような接触領域から出口領域において、赤道面に近接して配置されたブロックにより及ぼされる接触圧力は、トレッド１の外方エッジ部１ａに近接したブロックで設定可能の接触圧力よりもはるかに小さい。それゆえ、中央領域に近接して配置したブロック７はトレッド１の側方エッジ部１ａに近接したブロックの摩擦力より一層強い摩擦力を受ける傾向にある。
　【００７１】摩擦力を生ずる他の寄与要因は、接触領域に対する接触及び分離の段階期間中にブロック７により受ける加速度により表される。そのような加速度の値は２乗半径の公式で表されかつブロック７がタイヤ軸の回りにその公式に応じて分配されるので、赤道面Ｘ−Ｘにより近いブロックが最大の加速度を受けるブロックであり、その場合には公知の如くトレッド１は断面において外方へ凸形状のプロフィルを有する。
　【００７２】それゆえ、本発明によれば、赤道面Ｘ−Ｘに近接した領域に配置したブロック７を大きな寸法とした結果として得られる一層大きな長手方向剛性を与えることにより、該ブロック７により生ずるより大きな摩擦力の傾向を未然に防ぐことが可能であり、そのことは次に中央列３、４のトレッドの円周方向伸長部にわたってブロックを一層小さな個数で分配した結果からも直接的に得られる。
　【００７３】好ましいことに、トレッド１の中央領域のブロックの個数が少なくなることによっても、タイヤの牽引的特徴をさほど損ねることはない。その特徴は実際、肩列５、６にブロック７、７ａ、７ｂが多数配置されることに大きく依存しており、多数のブロック配置により最も大きな接触圧力と最も小さな摩擦力の傾向とが得られる。
　【００７４】また横方向カット部分８の傾斜方向が変化することは、牽引的特徴を犠牲にすることなく外方走行ノイズを低減する目的のために有利である。実際、カット部分８と中央列３、４に近接した長手方向溝２とにより形成される低減された角度「α」は、正確には外方ノイズが最も依存する領域において、ブロック７の地面へのインパクト（衝撃）を極めて円滑化する。これに反して、カット部分８は側方エッジ部に近接した領域においては長手方向溝２即ち走行方向と直交する方向に伸びており、該側方エッジ部領域では外方ノイズの影響は最も小さく感じられかつ牽引的特徴が最も重要となる。
　【００７５】明らかに、本発明には多くの修正と変形が可能であり、それら全ては添付のクレームの範囲内にある。
　【００７６】特に、図１に示されたトレッドパターンは特に横方向溝に関しては対称的であるが、該トレッドはまた赤道面Ｘ−Ｘの２つの側部上の非対称パターン又は鏡像を示すパターンを有してもよい。
　【００７７】明らかに、本発明のトレッドを製造する際に、走行ノイズを低減するために公知技術によりすでに提供された他の手段を採用する可能性も排除されない。
【図面の簡単な説明】
　【図１】本発明によるタイヤのトレッド部分の伸長部分の平面図である。
　【図２】上記トレッドの横方向伸長部分の異なる地点でのトレッドの長手方向剛性の変化を示す図である。
　【図３】トレッドの横方向伸長部分に沿って並列的関係で連続的に配置された異なる円周方向列に設けられた形状ブロックの個数の変化を示す図である。
　【符号の説明】
　１　トレッド　　　　　　　　　１ａ　側方エッジ部
　２　長手方向溝　　　　　　　　３、４、５、６　円周方向列
　７、７ａ　７ｂ　ブロック　　　８、９、１０　横方向カット部分
　１１　円周方向リブ　　　　　　１２　中央溝
　１３　横方向溝